(57)【要約】【課題】冷却効率を向上させると共に、小型化が図れる冷却装置及びプロジェクターを提供する。【解決手段】冷却装置２は、冷却風を発生させる冷却ファン２０と、冷却ファン２０で発生した冷却風を流動させて光学装置４５へ吐出するダクト３０と、を備え、ダクト３０は、冷却ファン２０で発生した冷却風を流動させるサブダクト３１と、サブダクト３１から流入した冷却風を光学装置４５へ吐出するメインダクト３２と、を備え、サブダクト３１は、メインダクト３２に対して、サブダクト３１の中心軸がメインダクト３２の中心軸からずれた部位に接続されている。また、メインダクト３２は、サブダクト３１から流入した冷却風の流動状態を螺旋状に変換して吐出する。【選択図】図２
2011203519.tif 000002
【特許請求の範囲】
【請求項１】
冷却風を冷却対象に吐出する冷却装置であって、
前記冷却風を発生させる冷却ファンと、
前記冷却ファンで発生した前記冷却風を流動させて前記冷却対象へ吐出するダクトと、を備え、
前記ダクトは、前記冷却ファンで発生した前記冷却風を流動させるサブダクトと、
前記サブダクトから流入した前記冷却風を前記冷却対象へ吐出するメインダクトと、を備え、
前記サブダクトは、前記メインダクトに対して、当該サブダクトの中心軸が当該メインダクトの中心軸からずれた部位に接続されていることを特徴とする冷却装置。
【請求項２】
請求項１に記載の冷却装置であって、
前記メインダクトは、前記サブダクトから流入した前記冷却風の流動状態を螺旋状に変換して吐出することを特徴とする冷却装置。
【請求項３】
請求項２に記載の冷却装置であって、
前記サブダクトを複数備え、
前記複数のサブダクトは、前記メインダクト内を流動する前記冷却風の流動方向が略同方向となるように、前記メインダクトに対して、当該複数のサブダクトの各々の前記中心軸が当該メインダクトの前記中心軸からずれた部位に各々接続されていることを特徴とする冷却装置。
【請求項４】
請求項３に記載の冷却装置であって、
前記冷却ファンを複数備え、
前記複数の冷却ファンは、対応する前記複数のサブダクトに各々前記冷却風を吐出することを特徴とする冷却装置。
【請求項５】
請求項４に記載の冷却装置であって、
前記冷却ファン及び前記サブダクトを各々２つ備え、
一方の前記冷却ファンは一方の前記サブダクトに前記冷却風を吐出し、
他方の前記冷却ファンは他方の前記サブダクトに前記冷却風を吐出し、
一方の前記サブダクトと他方の前記サブダクトとは、前記メインダクトに対して、当該サブダクトの各々の前記中心軸が当該メインダクトの前記中心軸からずれた部位に各々接続されていることを特徴とする冷却装置。
【請求項６】
請求項１〜請求項５のいずれか一項に記載の冷却装置と、
光源と、当該光源から射出された光束を画像信号に基づいて変調する光変調装置と、を備えることを特徴とするプロジェクター。
【発明の詳細な説明】
【技術分野】
【０００１】
本発明は、冷却装置と、この冷却装置を備えたプロジェクターに関する。
【背景技術】
【０００２】
従来、光源から射出された光束を画像信号に基づいて光変調装置で変調し、射出された光学像を画像光として投写するプロジェクターが知られている。このようなプロジェクターは、高輝度化が図られ、光源や光変調装置等の発熱量が増加している。そのため、これらの発熱した光学装置を冷却することが以前にも増して重要となっている。
【０００３】
このような状況の中、特許文献１では、冷却風を発生させる冷却ファンと、冷却ファンによって発生した冷却風を第一の冷却風と第二の冷却風とに分岐させ、第一の冷却風を液晶ユニットの入・出射側空間Ａ，Ｂ内へ流入させる空冷ダクトと、第二の冷却風の向きを変えて、第一の冷却風とは異なる向きで入・出射側空間Ａ，Ｂ内へ流入させる導風板と、を有して液晶ユニットを冷却する冷却装置が開示されている。
【先行技術文献】
【特許文献】
【０００４】
【特許文献１】特開２００９−７５２１２号公報
【発明の概要】
【発明が解決しようとする課題】
【０００５】
しかし、特許文献１では、冷却風を第一の冷却風と第二の冷却風とに分岐させ、空冷ダクト及び導風板を用いてそれぞれ別々の方向から入・出射側空間Ａ，Ｂ内へ流入させなければならないため、冷却装置の構造が複雑化し易く、また、冷却装置が大型化し易いという課題があった。従って、冷却効率を向上させると共に、小型化が図れる冷却装置及びプロジェクターが要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る冷却装置は、冷却風を冷却対象に吐出する冷却装置であって、冷却風を発生させる冷却ファンと、冷却ファンで発生した冷却風を流動させて冷却対象へ吐出するダクトと、を備え、ダクトは、冷却ファンで発生した冷却風を流動させるサブダクトと、サブダクトから流入した冷却風を冷却対象へ吐出するメインダクトと、を備え、サブダクトは、メインダクトに対して、サブダクトの中心軸がメインダクトの中心軸からずれた部位に接続されていることを特徴とする。
【０００８】
このような冷却装置によれば、サブダクトは、メインダクトに対して、サブダクトの中心軸がメインダクトの中心軸からずれた部位に接続され、メインダクトは、サブダクトから流入した冷却風を冷却対象へ吐出する。この構造により、例えば、サブダクト内部では層流として流動していた冷却風を、中心軸がずれた部位からメインダクト内部に流入させることで、メインダクト内部で乱流に変換して流動させることができる。この、乱流に変換された冷却風を、メインダクトから冷却対象に吐出させることにより、層流の冷却風を冷却対象に吐出する場合に比較して、冷却効率を向上させることができる。また、冷却対象に対して、別々の方向から冷却風を吐出させる必要がないため、冷却装置の構造の簡素化や、冷却装置の小型化が図れる。
【０００９】
（適用例２）上記適用例に係る冷却装置において、メインダクトは、サブダクトから流入した冷却風の流動状態を螺旋状に変換して吐出することが好ましい。
【００１０】
このような冷却装置によれば、メインダクトで冷却風の流動状態を螺旋状の乱流に変換して吐出することにより、冷却効率を更に向上させることができる。
【００１１】
（適用例３）上記適用例に係る冷却装置において、サブダクトを複数備え、複数のサブダクトは、メインダクト内を流動する冷却風の流動方向が略同方向となるように、メインダクトに対して、複数のサブダクトの各々の中心軸がメインダクトの中心軸からずれた部位に各々接続されていることが好ましい。
【００１２】
このような冷却装置によれば、メインダクトで冷却風の流動状態を更に効率的に螺旋状の乱流に変換させることができる。従って、更に効率的に冷却対象の冷却効率を向上させることができる。
【００１３】
（適用例４）上記適用例に係る冷却装置において、冷却ファンを複数備え、複数の冷却ファンは、対応する複数のサブダクトに各々冷却風を吐出することが好ましい。
【００１４】
このような冷却装置によれば、更に効率的に螺旋状の乱流に変換させることができ、更に効率的に冷却対象の冷却効率を向上させることができる。
【００１５】
（適用例５）上記適用例に係る冷却装置において、冷却ファン及びサブダクトを各々２つ備え、一方の冷却ファンは一方のサブダクトに冷却風を吐出し、他方の冷却ファンは他方のサブダクトに冷却風を吐出し、一方のサブダクトと他方のサブダクトとは、メインダクトに対して、サブダクトの各々の中心軸がメインダクトの中心軸からずれた部位に各々接続されていることが好ましい。
【００１６】
このような冷却装置によれば、効率的に螺旋状の乱流に変換させることができ、冷却対象の冷却効率を向上させることができる。また、冷却装置の構成も簡易となる。
【００１７】
（適用例６）本適用例に係るプロジェクターは、上述したいずれかの冷却装置と、光源と、光源から射出された光束を画像信号に基づいて変調する光変調装置と、を備えることを特徴とする。
【００１８】
このようなプロジェクターによれば、上述した効果を有する冷却装置を備えることにより、冷却対象としての発熱した光源や光変調装置等を効率的に冷却することができ、熱による動作不良を低減すると共に長寿命化を図ることができる。
【図面の簡単な説明】
【００１９】
【図１】第１実施形態に係るプロジェクターの光学系の構成を模式的に示す平面図。
【図２】冷却装置を示す概平面図。
【図３】冷却装置を示す概断面図。
【図４】第２実施形態に係る冷却装置を示す概平面図。
【図５】第３実施形態に係る冷却装置を示す概平面図。
【図６】第４実施形態に係る冷却装置を示す概平面図。
【発明を実施するための形態】
【００２０】
以下、実施形態を図面に基づいて説明する。
（第１実施形態）
【００２１】
図１は、第１実施形態に係るプロジェクター１の光学系の構成を模式的に示す平面図である。図１を参照して、プロジェクター１の光学系の構成及び動作を簡略に説明する。
【００２２】
プロジェクター１は、光源から射出された光束を画像信号に基づいて変調してスクリーン（図示省略）に拡大投写する装置である。プロジェクター１は、外装を構成する外装筐体（図示省略）を備え、外装筐体内部には、光学ユニット４、冷却装置２（図２参照）、プロジェクター１の動作を制御する制御部（図示省略）を含む回路構成部（図示省略）等を備えている。
【００２３】
本実施形態の光学ユニット４は、制御部による制御により、画像信号に基づいて光を変調して投射するものである。光学ユニット４は、光源装置４１と照明光学装置４２と色分離光学装置４３とリレー光学装置４４と光学装置４５と光学部品用筐体４６と投写光学装置４７とを備えている。
【００２４】
光源装置４１は、光源ランプ４１１及びリフレクター４１２を有している。光源装置４１は、光源ランプ４１１の発光による光束をリフレクター４１２で反射させて、照明光学装置４２に射出するものである。なお、本実施形態の光源ランプ４１１は、超高圧水銀ランプ等の放電式ランプを採用している。
【００２５】
照明光学装置４２は、光源装置４１から射出された光束に対し、照明光軸Ａに直交する面内での照度を均一化するためのものである。照明光学装置４２は、レンズアレイ４２１，４２２、偏光変換素子４２４、及び重畳レンズ４２５を有している。また、照明光学装置４２は、３つのフィールドレンズ４２６を有している。フィールドレンズ４２６は、光学装置４５の３つの光変調装置の手前に配置され、レンズアレイ４２２から射出された各部分光束をその中心軸に対して平行な光束に変換する。
【００２６】
色分離光学装置４３は、照明光学装置４２からの照明光束を赤色（Ｒ）光、緑色（Ｇ）光、及び青色（Ｂ）光の３つの色光に分離して対応する３つの光変調装置に導光するものである。色分離光学装置４３は、ダイクロイックミラー４３１，４３２、及び反射ミラー４３３を有している。リレー光学装置４４は、色分離光学装置４３で分離された色光（本実施形態ではＲ光）に対し、光路の長さが他の色光の光路の長さよりも長くなるため、光の発散等による光の利用効率の低下を防止し、光変調装置（本実施形態ではＲ光用光変調装置）まで導くものである。リレー光学装置４４は、入射側レンズ４４１、リレーレンズ４４３、及び反射ミラー４４２，４４４を有している。
【００２７】
光学装置４５は、各光変調装置に入射した各色光を画像信号に基づいて変調し、その後、色合成光学装置で合成するものである。光学装置４５は、光変調装置を構成する３つの液晶パネル４５１、３つの入射側偏光板４５２、３つの射出側偏光板４５３、及び色合成光学装置としてのクロスダイクロイックプリズム４５４を有している。また、３つの液晶パネル４５１は、Ｒ光用光変調装置としてのＲ光用液晶パネル４５１Ｒ、緑色光用光変調装置としてのＧ光用液晶パネル４５１Ｇ、及びＢ光用光変調装置としてのＢ光用液晶パネル４５１Ｂで構成されている。なお、本実施形態の光変調装置を構成する３つの液晶パネル４５１は透過型を採用している。
【００２８】
投写光学装置４７は、投写レンズ４７１を有し、光学装置４５（色合成光学装置）で合成された光をスクリーンに拡大投写する。光学部品用筐体４６は、内部に所定の照明光軸Ａが設定され、上述した各光学装置４１〜４５を照明光軸Ａに対する所定位置に収容する。なお、上述した各光学装置４１〜４５，４７に関しては、種々の一般的なプロジェクターの光学系として利用されているため、詳細な説明を省略する。
【００２９】
図２は、冷却装置２を示す概平面図である。図３は、冷却装置２を示す概断面図である。なお、図２は、冷却装置２のダクト３０を断面図で示している。また、図３は、図２に示すＡ−Ａ断面図であり、Ｒ光用液晶パネル４５１Ｒを冷却する冷却装置２の断面図である。図２、図３を参照して冷却装置２の構成及び動作に関して説明する。
【００３０】
プロジェクター１は、光源装置４１を含め、光源装置４１から射出された光束により、偏光変換素子４２４や光学装置４５（液晶パネル４５１、入射側偏光板４５２、射出側偏光板４５３）等が発熱する。本実施形態の冷却装置２は、この光学装置４５を冷却対象として適用している。
【００３１】
冷却装置２は、冷却風を発生させる冷却ファン２０と、冷却ファン２０で発生した冷却風を流動させて光学装置４５へ吐出するダクト３０とを備えて構成される。また、ダクト３０は、冷却ファン２０で発生した冷却風を流動させるサブダクト３１と、サブダクト３１と接続してサブダクト３１から流入した冷却風を光学装置４５へ吐出するメインダクト３２と、を備えている。また、ダクト３０は、プロジェクター１の外装筐体（図示省略）に設置される吸気口（図示省略）から吸気した外気を冷却ファン２０に流動する吸気用ダクト（図示省略）を備えている。
【００３２】
冷却ファン２０は、本実施形態では、第１冷却ファン２１と第２冷却ファン２２との２つを備えている。第１冷却ファン２１、第２冷却ファン２２は、シロッコファンを採用している。シロッコファンは、回転軸方向から吸気した外気を、回転による遠心力方向に吐出する構造となっている。
【００３３】
サブダクト３１は、本実施形態では、第１サブダクト３１１と第２サブダクト３１２とを備えて構成される。第１サブダクト３１１は、第１冷却ファン２１とメインダクト３２（後述する）との間に接続する。第２サブダクト３１２は、第２冷却ファン２２とメインダクト３２との間に接続する。
【００３４】
第１サブダクト３１１は、第１冷却ファン２１の吐出口２１１の近傍から、Ｒ用サブダクト３１１Ｒ、Ｇ用サブダクト３１１Ｇ、Ｂ用サブダクト３１１Ｂの３つに分岐して構成されている。第２サブダクト３１２は、第２冷却ファン２２の吐出口２２１の近傍から、Ｒ用サブダクト３１２Ｒ、Ｇ用サブダクト３１２Ｇ、Ｂ用サブダクト３１２Ｂの３つに分岐して構成されている。
【００３５】
メインダクト３２は、Ｒ用メインダクト３２Ｒ、Ｇ用メインダクト３２Ｇ、Ｂ用メインダクト３２Ｂの３つを有して構成されている。なお、図３に示すように、Ｒ用メインダクト３２Ｒは、略円筒状に形成され、Ｒ光用液晶パネル４５１Ｒの下方で、吐出口３２１ＲをＲ光用液晶パネル４５１Ｒに向けて設置されている。Ｇ用メインダクト３２Ｇ及びＢ用メインダクト３２Ｂも、Ｒ用メインダクト３２Ｒと同様に構成され、Ｇ光用液晶パネル４５１Ｇ及びＢ光用液晶パネル４５１Ｂの下方で、吐出口３２１Ｇ，３２１Ｂを対応する液晶パネル４５１に向けて設置されている。
【００３６】
第１サブダクト３１１のＢ用サブダクト３１１Ｂと、第２サブダクト３１２のＢ用サブダクト３１２Ｂは、Ｂ用メインダクト３２Ｂに対して、Ｂ用サブダクト３１１Ｂ，３１２Ｂの各々の中心軸が、Ｂ用メインダクト３２Ｂの中心軸からずれた部位に各々接続される。「中心軸からずれた」とは、詳細には、図２に示すように、Ｂ用メインダクト３２Ｂの断面方向の中心軸Ｂと、Ｂ用サブダクト３１１Ｂの断面方向の中心軸Ｃとが交差せずに、ずれた位置関係となっていることをいう。同様に、Ｂ用メインダクト３２Ｂの中心軸Ｂと、Ｂ用サブダクト３１２Ｂの断面方向の中心軸Ｄとが交差せずに、ずれた位置関係となっていることをいう。
【００３７】
なお、以降の説明において、「Ｂ用メインダクト３２Ｂに対して、Ｂ用サブダクト３１１Ｂ，３１２Ｂの各々の中心軸が、Ｂ用メインダクト３２Ｂの中心軸からずれた部位に各々接続される」ことを、「Ｂ用サブダクト３１１Ｂ，３１２Ｂは、Ｂ用メインダクト３２Ｂに対して、中心軸がずれた部位に接続される」と略していう。
【００３８】
第１サブダクト３１１のＧ用サブダクト３１１Ｇと、第２サブダクト３１２のＧ用サブダクト３１２Ｇは、Ｇ用メインダクト３２Ｇに対して、中心軸がずれた部位に接続される。また、同様に、第１サブダクト３１１のＲ用サブダクト３１１Ｒと、第２サブダクト３１２のＲ用サブダクト３１２Ｒは、Ｒ用メインダクト３２Ｒに対して、中心軸がずれた部位に接続される。
【００３９】
また、Ｂ用サブダクト３１１Ｂ，３１２Ｂは、図２に矢印で示すように、Ｂ用メインダクト３２Ｂ内に流入した冷却風が合成された場合、流動方向が略同方向となる位置関係で接続されている。この接続構造は、Ｇ用メインダクト３２Ｇ、Ｒ用メインダクト３２Ｒにおいても同様である。
【００４０】
図３に示すように、第１サブダクト３１１と第２サブダクト３１２とは、メインダクト３２に対して、上方向（吐出口３２１方向）に傾斜した状態で接続されている。これにより、サブダクト３１内を流動した冷却風は、メインダクト３２内に流入した場合、吐出口３２１方向に流動する。
【００４１】
冷却装置２の動作を説明する。
図２に示すように、冷却ファン２０（第１冷却ファン２１、第２冷却ファン２２）が駆動することにより、吸気口（図示省略）から吸気した外気が、吸気用ダクト（図示省略）内を流動して第１冷却ファン２１及び第２冷却ファン２２に導入される。
【００４２】
そして、第１冷却ファン２１の吐出口２１１から吐出された外気（冷却風）は、第１サブダクト３１１内を流動し、分岐する３つのＲ用サブダクト３１１Ｒ、Ｇ用サブダクト３１１Ｇ、Ｂ用サブダクト３１１Ｂの内部を流動する。同様に、第２冷却ファン２２の吐出口２２１から吐出された外気（冷却風）は、第２サブダクト３１２内を流動し、分岐する３つのＲ用サブダクト３１２Ｒ、Ｇ用サブダクト３１２Ｇ、Ｂ用サブダクト３１２Ｂの内部を流動する。なお、第１サブダクト３１１、第２サブダクト３１２の分岐された各ダクト内部を流動する冷却風の流動状態は、層流となっている。
【００４３】
ここで、説明の便宜上、Ｒ用サブダクト３１１Ｒ，３１２Ｒ及びＲ用メインダクト３２Ｒを取り上げ、光学装置４５のＲ光用液晶パネル４５１Ｒ等を冷却する冷却風の流動を説明する。
【００４４】
図２、図３に示すように、Ｒ用サブダクト３１１Ｒ，３１２Ｒ内を流動した冷却風は、Ｒ用メインダクト３２Ｒ内に流入する。なお、Ｒ用サブダクト３１１Ｒ，３１２Ｒは、上述したように、Ｒ用メインダクト３２Ｒに対して、中心軸がずれた部位に接続され、また、Ｒ用メインダクト３２Ｒ内での冷却風の流動方向が略同方向となるように接続されている。そして、Ｒ用メインダクト３２Ｒの吐出口３２１Ｒ方向に傾斜した状態で接続されている。
【００４５】
この接続構造により、Ｒ用メインダクト３２Ｒ内に流入した各々の冷却風は、流入する部位は異なるが、図３に実線と破線の矢印で示すように、流動方向が同方向で、螺旋状の流動状態に変換され流動し、吐出口３２１Ｒから吐出される。なお、Ｇ用メインダクト３２Ｇ、Ｂ用メインダクト３２Ｂにおいても、Ｒ用メインダクト３２Ｒと同様に冷却風が流動し、流動方向が同方向で、螺旋状の流動状態に変換され、吐出口３２１Ｇ，３２１Ｂから各々吐出される。
【００４６】
Ｒ用メインダクト３２Ｒの吐出口３２１Ｒから吐出された螺旋状の乱流としての冷却風は、吐出口３２１Ｒの上方に位置するＲ光用液晶パネル４５１Ｒ、入射側偏光板４５２、及び射出側偏光板４５３に吹き付けることにより、Ｒ光用液晶パネル４５１Ｒ、入射側偏光板４５２、射出側偏光板４５３で発生した熱を奪い冷却する。なお、Ｇ用メインダクト３２Ｇ、Ｂ用メインダクト３２Ｂの吐出口３２１Ｇ，３２１Ｂから吐出された螺旋状の乱流としての冷却風も、上方に位置するＧ光用液晶パネル４５１Ｇ、Ｂ光用液晶パネル４５１Ｂ等を同様に冷却する。
【００４７】
上述した第１実施形態によれば、以下の効果が得られる。
本実施形態の冷却装置２は、冷却ファン２０とダクト３０とを備える。冷却ファン２０は、第１冷却ファン２１と第２冷却ファン２２を備える。ダクト３０は、サブダクト３１とメインダクト３２とを備える。そして、サブダクト３１は、３つに分岐する第１サブダクト３１１と、３つに分岐する第２サブダクト３１２とを備える。第１サブダクト３１１と第２サブダクト３１２は、メインダクト３２に対して、中心軸がずれた部位に接続され、また、メインダクト３２内を流動する冷却風の流動方向が略同方向となるように接続されている。これにより、サブダクト３１内部では層流として流動していた冷却風を、メインダクト３２内部では螺旋状の流動状態に変換させることができる。この、螺旋状の乱流に変換された冷却風を、メインダクト３２から光学装置４５に吐出させることにより、層流の冷却風を光学装置４５に吐出する場合に比較して、冷却効率を向上させることができる。
【００４８】
本実施形態の冷却装置２は、１つのメインダクト３２（例えば、Ｒ用メインダクト３２Ｒ）に、２つのサブダクト３１（例えば、第１サブダクト３１１（Ｒ用サブダクト３１１Ｒ）、第２サブダクト３１２（Ｒ用サブダクト３１２Ｒ））が接続される。また、２つの冷却ファン２０を用いて、第１冷却ファン２１は第１サブダクト３１１に接続し、第２冷却ファン２２は第２サブダクト３１２に接続する。これにより、メインダクト３２で冷却風の流動状態を効率的に螺旋状の乱流に変換させることができ、光学装置４５の冷却効率を向上させることができる。
【００４９】
本実施形態の冷却装置２によれば、光学装置４５に対して、一方向（下方向）から冷却風を吐出すればよく、別々の方向から冷却風を吐出させる必要がないため、冷却装置２の構造の簡素化や、冷却装置２の小型化が図れる。
【００５０】
本実施形態の冷却装置２によれば、冷却風として螺旋状の乱流を光学装置４５に吹き付けることにより、層流の冷却風を吹き付ける場合に比較して、光学装置４５（液晶パネル４５１、入射側偏光板４５２、射出側偏光板４５３）への塵埃の付着を低減することができる。
【００５１】
本実施形態のプロジェクター１によれば、上述した効果を有する冷却装置２を備えることにより、光学装置４５を効率的に冷却することができ、熱による光学装置４５の動作不良を低減して長寿命化を図ることができる。また、液晶パネル４５１等の光学部品への塵埃の付着を低減できることで、投写画像品質を維持することができる。
（第２実施形態）
【００５２】
図４は、第２実施形態に係る冷却装置５を示す概平面図である。なお、図４は、冷却装置５のダクト６０を断面図で示している。図４を参照して、冷却装置５の構成及び動作を説明する。
【００５３】
本実施形態の冷却装置５は、冷却ファン５０とダクト６０の構成が第１実施形態の冷却装置２の構成と異なっている。本実施形態の冷却装置５は、冷却対象として、光学装置４５を構成する１つの液晶パネル４５１、入射側偏光板４５２、射出側偏光板４５３を冷却する装置として構成されている。従って、３つの液晶パネル４５１に対して３つの冷却装置５を使用する。
【００５４】
図４に示すように、冷却装置５は、冷却ファン５０とダクト６０とを備えている。冷却ファン５０は１つ用いており、第１実施形態と同様に、シロッコファンを採用している。ダクト６０は、サブダクト６１とメインダクト６２とを備えている。サブダクト６１は、冷却ファン５０とメインダクト６２との間に接続する。
【００５５】
サブダクト６１は、本実施形態では、冷却ファン５０の吐出口５０１の近傍から、第１サブダクト６１１、第２サブダクト６１２の２つに分岐されて構成されている。第１サブダクト６１１と第２サブダクト６１２は、第１実施形態と同様に、メインダクト６２に対して、中心軸がずれた部位に接続され、また、冷却風の流動方向が略同方向となるように接続される。
【００５６】
また、第１サブダクト６１１と第２サブダクト６１２とは、メインダクト６２に対して、第１実施形態と同様に、上方向に傾斜した状態で接続され、サブダクト６１内を流動した冷却風が、メインダクト６２内に流入した場合、上方向に流動させる。
【００５７】
メインダクト６２は１つで構成されている。メインダクト６２は、第１実施形態と同様に、略円筒状に形成され、液晶パネル４５１の下方で、吐出口（図示省略）を液晶パネル４５１に向けて設置される。
【００５８】
本実施形態の冷却装置５は、換言すると、１つの冷却ファン５０に接続する２つのサブダクト６１（第１サブダクト６１１、第２サブダクト６１２）が、１つのメインダクト６２に対して接続する構造となる。
【００５９】
冷却装置５の動作を説明する。
冷却ファン５０の駆動により、吸気口（図示省略）から吸気した外気が、吸気用ダクト（図示省略）内を流動して冷却ファン５０に導入される。冷却ファン５０の吐出口５０１から吐出された外気（冷却風）は、サブダクト６１内を流動し、分岐する２つの第１サブダクト６１１、第２サブダクト６１２の内部を流動する。なお、第１サブダクト６１１、第２サブダクト６１２の各ダクト内部を流動する冷却風の流動状態は、層流となっている。
【００６０】
メインダクト６２内に流入した各々の冷却風は、流動方向が略同方向で、螺旋状の流動状態に変換され流動し、吐出口から吐出される。吐出口から吐出された螺旋状の乱流としての冷却風は、上方に位置する例えば、Ｒ光用液晶パネル４５１Ｒ、入射側偏光板４５２、及び射出側偏光板４５３に吹き付けることにより、Ｒ光用液晶パネル４５１Ｒ、入射側偏光板４５２、射出側偏光板４５３で発生した熱を奪い冷却する。
【００６１】
なお、この冷却装置５を、他のＧ光用液晶パネル４５１Ｇ、Ｂ光用液晶パネル４５１Ｂに対しても適用することで、Ｇ光用液晶パネル４５１Ｇ、Ｂ光用液晶パネル４５１Ｂ等を冷却することができる。
【００６２】
上述した第２実施形態によれば、以下の効果が得られる。
【００６３】
本実施形態の冷却装置５は、１つの冷却ファン５０に接続する２つのサブダクト６１（第１サブダクト６１１、第２サブダクト６１２）が、１つのメインダクト６２に対して接続する構造となる。このような冷却装置５によっても、冷却風をメインダクト６２内部で螺旋状の乱流に変換して流動させることができる。そして、螺旋状の乱流に変換された冷却風を、メインダクト６２から光学装置４５に吐出させることにより、層流の冷却風を光学装置４５に吐出する場合に比較して、冷却効率を向上させることができる。
（第３実施形態）
【００６４】
図５は、第３実施形態に係る冷却装置７を示す概平面図である。なお、図５は、冷却装置７のダクト７０を断面図で示している。図５を参照して、冷却装置７の構成及び動作を説明する。
【００６５】
本実施形態の冷却装置７は、第２実施形態と比較して、ダクト７０の構成が異なっている。詳細には、ダクト７０は、１つのサブダクト７１と１つのメインダクト７２とで構成されている。サブダクト７１は、冷却ファン５０とメインダクト７２との間に接続し、メインダクト７２に対して、サブダクト７１の中心軸がメインダクト７２の中心軸からずれた部位に接続される。
【００６６】
このようにサブダクト７１が複数ではなく１つであり、メインダクト７２に対して、サブダクト７１の中心軸がメインダクト７２の中心軸からずれた部位に接続することによっても、メインダクト７２内部で螺旋状の乱流に変換して流動させ、吐出することができる。従って、このような簡易な冷却装置７でも冷却効率を向上させることができる。また、このような冷却装置７の構成によれば、冷却装置を更に小型化することができる。
（第４実施形態）
【００６７】
図６は、第４実施形態に係る冷却装置８を示す概平面図である。なお、図６は、冷却装置８のダクト８０を断面図で示している。図６を参照して、冷却装置８の構成及び動作を説明する。
【００６８】
本実施形態の冷却装置８は、第３実施形態と比較して、ダクト８０の構成が異なっている。詳細には、後述するメインダクト８２の形状が異なっている。なお、ダクト８０は、サブダクト８１とメインダクト８２で構成され、サブダクト８１は、冷却ファン５０とメインダクト８２との間に接続している。そして、サブダクト８１は、メインダクト８２に対して、サブダクト８１の中心軸がメインダクト８２の中心軸からずれた部位に接続される。
【００６９】
メインダクト８２は、中空の断面略矩形で、角部分が円形に形成されている。このように形成されたメインダクト８２であっても、メインダクト８２内部で螺旋状の乱流に変換して流動させ、吐出することができる。
【００７０】
なお、上述した第１〜第４実施形態に限定されず、その要旨を逸脱しない範囲において種々の変更や改良等を加えて実施することが可能である。変形例を以下に述べる。
【００７１】
（変形例１）前記第１〜第４実施形態の冷却装置２，５，７，８は、光学装置４５を冷却対象として適用している。しかし、これに限られず、光源装置４１、偏光変換素子４２４、及びプロジェクター１内部の発熱する部材等を、冷却対象として適用することができる。
【００７２】
（変形例２）前記第２実施形態の冷却装置５において、サブダクト６１（第１サブダクト６１１、第２サブダクト６１２）は、メインダクト６２に対して、サブダクト６１の各々の中心軸がメインダクト６２の中心軸からずれた部位に各々接続され、第１サブダクト６１１と第２サブダクト６１２は、略平行に接続されている。しかし、略平行に接続されなくてもよく、メインダクト６２内部に第１サブダクト６１１、第２サブダクト６１２から冷却風が流入した場合、メインダクト６２内部で、冷却風の流動方向が略同方向となるように接続されていればよい。このことは、第１実施形態においても同様となる。
【００７３】
（変形例３）前記第２実施形態の冷却装置５は、メインダクト６２内部で、螺旋状の流動状態に変換している。しかし、螺旋状の乱流に変換されなくても、層流が乱されることにより、乱流に変換されればよい。このことは、前記第１、第３、第４実施形態においても同様となる。これにより、冷却効率は螺旋状の乱流に比べて劣るものの、層流に比較して冷却効率を向上させることができる。
【００７４】
（変形例４）前記第２実施形態の冷却装置５において、メインダクト６２に接続するサブダクト６１は、第１サブダクト６１１及び第２サブダクト６１２の２つが接続している。しかし、これに限られず、３つ以上のサブダクトをメインダクトに接続する構成としてもよい。この場合の接続構造として、複数のサブダクトは、メインダクト内を流動する冷却風の流動方向が略同方向となり、また、メインダクトの中心軸から複数のサブダクトの中心軸をずらした部位に各々接続されることでよい。このことは、前記第１実施形態においても同様となる。
【００７５】
（変形例５）前記第１実施形態の冷却装置２は、１つの第１冷却ファン２１に、３つのサブダクト（Ｒ用サブダクト３１１Ｒ、Ｇ用サブダクト３１１Ｇ、Ｂ用サブダクト３１１Ｂ）が接続されている。しかし、これに限られず、冷却ファンに接続するサブダクトの数は限定されず、適宜設定することができる。このことは、前記第２〜第４実施形態においても同様となる。
【００７６】
（変形例６）前記第１〜第４実施形態の冷却装置２，５，７，８は、光学装置４５を冷却対象として、液晶パネル４５１、入射側偏光板４５２、射出側偏光板４５３に、直接冷却風を吹き付けて冷却している。しかし、これに限られず、例えば、ヒートシンク等の放熱部材を取付けて放熱させることで冷却する装置等を冷却対象とした場合にも適用することができ、放熱部材の放熱効率を向上させることができる。その場合、放熱部材の小型化も図ることができる。
【００７７】
（変形例７）前記第１〜第４実施形態の光学ユニット４において、光学装置４５は、Ｒ光、Ｇ光、Ｂ光に対応する３つの光変調装置を用いるいわゆる３板方式を採用している。しかし、これに限られず、単板方式の光変調装置を採用してもよい。また、コントラストを向上させるための光変調装置を追加して採用してもよい。
【００７８】
（変形例８）前記第１〜第４実施形態の光学ユニット４において、光学装置４５は、透過型の光変調装置（透過型の液晶パネル４５１）を採用している。しかし、これに限られず、反射型の光変調装置を採用してもよい。
【００７９】
（変形例９）前記第１〜第４実施形態の光学ユニット４において、光変調装置として液晶パネル４５１を採用している。しかし、これに限られず、一般に、入射光束を画像信号に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【００８０】
（変形例１０）前記第１〜第４実施形態の光学ユニット４において、光源装置４１から射出された光束の照度を均一化する照明光学装置４２として、レンズアレイ４２１，４２２からなるレンズインテグレーター光学系を採用しているが、これに限定されるものではなく、導光ロッドからなるロッドインテグレーター光学系も採用することができる。
【００８１】
（変形例１１）前記第１〜第４実施形態の光学ユニット４において、光源装置４１の光源ランプ４１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００８２】
１…プロジェクター、２，５，７，８…冷却装置、２０…冷却ファン、２１…第１冷却ファン、２２…第２冷却ファン、３０…ダクト、３１…サブダクト、３２…メインダクト、４５…光学装置、３１１…第１サブダクト、３１２…第２サブダクト。
【図１】
2011203519.tif 000003
【図２】
2011203519.tif 000004
【図３】
2011203519.tif 000005
【図４】
2011203519.tif 000006
【図５】
2011203519.tif 000007
【図６】
2011203519.tif 000008